(57)【要約】【課題】イオン発生機を搭載した空気調和機において、吹出部の一部に設置された放電針から、負イオン又は負イオンと正イオンを発生させる場合、負イオンの比率を高くすると、製品本体や周辺の壁面や機器が帯電しやすくなり、ホコリが付着しやすくなる。【解決手段】空気を循環させる送風回路の吸入部（吸入グリル６）と吹出部（吹出しグリル４）とを有し、前記吸入部に高電圧方式により放電針ユニット１−Ｂで負イオンと正イオンとを発生させて本体を除電する除電装置と、前記吹出部に高電圧方式により放電針ユニット１−Ａで負イオンを発生させ、前記イオン発生量を風量により変化させるように構成したイオン発生装置とを備えた。【選択図】図１
2011085288.tif 000002
【特許請求の範囲】
【請求項１】
空気を循環させる送風回路の吸入部と吹出部とを有し、前記吸入部に高電圧方式により放電針ユニットで負イオンと正イオンとを発生させて本体を除電する除電装置と、前記吹出部に高電圧方式により放電針ユニットで負イオンを発生させ、前記イオン発生量を風量により変化させるように構成したイオン発生装置とを備えたことを特徴とする空気調和機。
【請求項２】
吹出部のイオン発生装置で負イオンと正イオンとを発生させることを特徴とする請求項１記載の空気調和機。
【請求項３】
本体に帯電圧センサーを設け、帯電圧が空気調和機本体の側面で±０．３ｋＶ未満になるように調整する構成としたことを特徴とする請求項１または請求項２記載の空気調和機。
【請求項４】
室内のイオン量を感知するイオンセンサーを設け、室内の空気イオンを所定量に調整するように構成したことを特徴とする請求項１から３のいずれか一項に記載の空気調和機。
【発明の詳細な説明】
【技術分野】
【０００１】
本発明は、送風回路の吹出部と吸入部に放電針を設け、本体が帯電しにくいように吸入部に除電機能を設けて本体を除電しながら、吹出部から負イオン又は負イオンと正イオンを適当量（例えば、部屋内でイオン量が２００〜３０００個／ｃｃ）発生することが可能な、除電装置とイオン発生装置を備えた空気調和機に関するものである。
【背景技術】
【０００２】
従来、空気調和機の吹出部のフィン（羽根）に除電装置を組み込んだもの（例えば、特許文献１参照）や、送風回路の吹出部にイオン発生機を搭載した空気調和機はある（例えば、特許文献２参照）が、空気調和機の吸入部に除電装置と吹出部にイオン発生装置を併用して備えたものは開示されていない。
【先行技術文献】
【特許文献】
【０００３】
【特許文献１】特開２００５−４２９８８号公報
【特許文献２】特公平７−２３７７７号公報
【発明の概要】
【発明が解決しようとする課題】
【０００４】
イオン発生機を搭載した空気調和機において、吹出部の一部に設置された放電針から、負イオン又は負イオンと正イオンを発生させる場合、負イオンの比率を高くすると、製品本体や周辺の壁面や機器が帯電しやすくなり、ホコリが付着しやすくなる課題を有していた。
【０００５】
本発明は、上記課題を解決するもので、イオン発生機を搭載した空気調和機において、本体を除電（帯電防止）しながら、負イオン又は負イオンと正イオンを発生させ、風量によりイオン発生量を変化させることができる、除電装置とイオン発生装置を備えた空気調和機を提供することを目的とする。
【課題を解決するための手段】
【０００６】
上記課題を解決するために、請求項１記載の本発明の空気調和機は、空気を循環させる送風回路の吸入部と吹出部に、一例として円筒型の電極を用いた放電針ユニットを設け、高電圧方式によりイオンを発生させ、吸入部側の放電針ユニットで、正と負を等電圧にして本体を除電しながら、吹出部側の放電針ユニットで負イオンを発生させて、風量によりイオン発生量を変化させる、除電装置とイオン発生装置を備えたものである。
【０００７】
請求項２記載の本発明の空気調和機は、送風回路の吸入部と吹出部に、一例として円筒型の電極を用いた放電針ユニットを設け、高電圧方式によりイオンを発生させ、吸入部側の放電針ユニットで、正と負を等電圧にして本体を除電しながら、吹出部の放電針ユニットで、負イオンと正イオンを発生させて、例えば正イオンと負イオンの比率が１：１〜１．２として負イオン量を多く発生させたものである。尚、吸入部の除電の放電針ユニットと、吹出部の放電針ユニットは、各々独立した高電圧装置を空気調和機の電源部に設置して構成したものである。
【０００８】
請求項３記載の本発明の空気調和機は、空気調和機本体に帯電圧センサーを設け、本体の帯電圧を検知して除電装置の電圧を変化させることにより、空気調和機本体の周囲で帯電圧が±０．３ｋＶ未満になるように構成したものである。
【０００９】
請求項４記載の本発明の空気調和機は、空気調和機本体にイオンセンサーを設け、室内の汚染微粒子の増加に伴って減少するイオンを、イオンセンサーにより室内のイオン量を検知して、電圧を変化させることにより、負イオンを適量に発生させて補充し、空気調和機の送風条件が変化しても、部屋内のイオン量を適正量（例えば負の小イオンで２００〜１０００個／ｃｃ）に維持させるものである。
【００１０】
また本発明は、空気調和機の送風回路の吸入部と吹出部に、円筒型の電極を用いた放電針ユニットを設け、高電圧装置を空気調和機の電源部に設置し、イオンセンサーを吸入部に設けて構成したものである。
【００１１】
吸入部の放電針ユニットで、本体を適宜、除電しながら、室内の汚染微粒子の増加に伴って減少するイオンを、イオンセンサーにより室内のイオン量を検知して、電圧を変化させることにより、負イオンと正イオンを、吹出部の放電針ユニットから適量に発生させて補充し、空気調和機の送風条件が変化しても負または正のそれぞれの小イオンで、部屋内のイオン量を、例えば２００〜１０００個／ｃｃに変化させ、負イオンと正イオンの比率を１：１．０〜１．２で発生させるものである。
【発明の効果】
【００１２】
本発明は空気調和機を除電しながら、イオン発生ユニットにより、室内に負イオン或いは負イオンと正イオンを送風の強さにより適当量発生することができる。また、室内の粉塵量を同時に低減できる。また、本体や周囲の汚れを長期に軽減することができる。
【００１３】
すなわち、請求項１では、部屋内に負イオンを補充させることができる。請求項２は部屋内に負イオンと正イオンを補充させることができる。また、請求項３では帯電圧センサーにより本体の帯電圧を０．３ｋＶ以内にしながら、負イオン或いは負イオンと正イオンを発生さすことができる。また、請求項４ではイオンセンサーにより、部屋内のイオン量を感知しながら適当量の負イオン或いは負イオンと正イオンを発生することができる。
【図面の簡単な説明】
【００１４】
【図１】本発明の実施の形態１における空気調和機の斜視図
【図２】同空気調和機の断面模式図
【図３】同空気調和機に備えた放電針ユニットの斜視図
【図４】同空気調和機のイオン測定を行った測定室の平面図
【図５】本発明の実施の形態１における空気調和機のイオン測定結果の特性図
【図６】本発明の実施の形態１における空気調和機のイオン測定結果の特性図
【図７】本発明の実施の形態１における空気調和機のイオン測定結果の特性図
【図８】本発明の実施の形態１における空気調和機のイオン測定結果の特性図
【図９】従来の空気調和機の斜視図
【図１０】従来の空気調和機のイオン測定結果の特性図
【発明を実施するための形態】
【００１５】
請求項１記載の本発明の空気調和機は、空気を循環させる送風回路の吸入部と吹出部とを有し、前記吸入部に高電圧方式により放電針ユニットで負イオンと正イオンと発生させて本体を除電する除電装置と、前記吹出部に高電圧方式により放電針ユニットで負イオンを発生させ、前記イオン発生量を風量により変化させるように構成したイオン発生装置とを備えたものである。
【００１６】
この構成であれば、空気調和機の本体や本体周りの帯電が軽減され、同時に汚れの付着を抑制し、部屋内の粉塵量を１／２〜１／１０程度に減少させることができる。また、送
風条件を強風、弱風、微風に変化させることにより、イオン量も高、中、低と変化させることができ、部屋内で減少する負イオンを補充することができる。
【００１７】
請求項２記載の本発明の空気調和機は、請求項１の発明において、吹出部のイオン発生装置で負イオンと正イオンとを発生させるものである。
【００１８】
この構成であれば、空気調和機の本体や本体周りの帯電が軽減され、同時に汚れの付着を抑制し、部屋内の粉塵量を１／２〜１／１０程度に減少させることができる。また、室内の負イオンと正イオンを補充できて、正イオンと負イオンの比率を、１：０．８〜１．２程度にして負イオン量を多く発生させることができて、室内の汚染微粒子の増加に伴って減少する負イオンと正イオンを補充できる。
【００１９】
また、空気調和機の送風条件の強さを変化させることにより、部屋内のイオン量を、負また正の小イオンで適正量（例えば２００〜３０００個／ｃｃ）に変化させることができる。また、負または正のそれぞれの小イオンで、２００〜３０００個／ｃｃに変化させることにより、室内の負または正のそれぞれの小イオン量が、高原や温泉地のようなさわやかなイオン量と同程度となる。負イオンの作用としては、一般的に、鎮静作用があり、イライラ感などを解消し健康面での効果や作業能力の向上があると言われており、同様の効果が得られる。また負イオンと正イオンの比率を１：０．８〜１．２で発生させることにより、自然状態に近い負と正の小イオン量が確保できる。
【００２０】
また、送風条件を強風、弱風、微風に変化させることにより、イオン量も高、中、低と変化させることができる。
【００２１】
請求項３記載の本発明の空気調和機は、空気調和機本体に帯電圧センサーを設け、本体の帯電圧を検知して除電装置の電圧を変化させることにより、空気調和機本体の側面の帯電圧が±０．３ｋＶ未満になるように構成したものである。
【００２２】
この構成によれば、帯電圧センターが空気調和機の本体及び周囲の帯電圧を検知して、室内の正イオンや負イオンのイオンバランスが変わって空気調和機本体が帯電しても、本体の帯電圧が中和状態（好ましくは０．１ｋ程度以下）になるように除電することが可能となる。また、請求項２記載の同様の作用が得られる。
【００２３】
請求項４記載の本発明の空気調和機は、室内のイオン量を感知するイオンセンサーを設け、室内の空気イオンを所定量に調整するように構成したものである。吸入部の放電針ユニットで本体を適宜除電しながら、室内の汚染微粒子の増加に伴って減少するイオンをイオンセンサーにより室内のイオン量を検知して電圧を変化させることにより、負イオンと正イオンを吹出部の放電針ユニットから適量に発生させて補充し、空気調和機の送風条件が変化しても負または正のそれぞれの小イオンで部屋内のイオン量を、例えば２００〜１０００個／ｃｃに変化させ、負イオンと正イオンの比率を１：１．０〜１．２で発生させるものである。
【００２４】
この構成によれば、部屋内の負イオンと正イオンのバランスが偏っていても負イオンと正イオンの比率が所定量を１：１．０〜１．２程度になるようにイオン発生量を調整できる。また、空気調和機の送風条件が変化してもイオンセンサーが室内のイオン量を検知して電圧を変化させることにより負のイオンを適量に発生するため、部屋内の負の小イオン量が大きく変動することがなく安定して、所定量（例えば、２００〜１０００個／ｃｃ）に確保することができる。
【００２５】
また、これらの構成によれば、帯電圧センターが空気調和機の本体及び周囲の帯電圧を
検知して、室内の正イオンや負イオンのイオンバランスが変わって空気調和機本体が帯電しても、本体の帯電圧が中和状態（好ましくは０．１ｋ程度以下）になるように除電することが可能となる。また、除電されることにより汚れの付着を抑制し、部屋内の粉塵量を１／２〜１／１０程度に減少させることができる。また、負イオンの作用としては、一般的に、鎮静作用があり、イライラ感などを解消し、健康面での効果や作業能力の向上があると言われており、同様の効果が得られる。
【００２６】
（実施の形態１）
以下、本発明の一実施例について、添付図面を用いて説明する。図１は本発明の実施の形態１における空気調和機の斜視図、図２は同空気調和機の断面模式図であり、除電機とイオン発生装置を備えた空気調和機の構成を示す。図３は同空気調和機に備えた放電針ユニットの斜視図で、図４は同空気調和機のイオン測定を行った測定室の平面図を示す。
【００２７】
除電装置とイオン発生装置を備えた空気調和機は、除電装置の放電針ユニット１−Ｂを空気調和機１１の送風回路である吸入グリル６に設け、またイオン発生装置の放電針ユニット１−Ａは吹出しグリル４にそれぞれ２箇所設け、交流高電圧ユニット（吸入部用２−Ｂ、吹出部用２−Ａ）を電源箱８内に設置し、帯電センサー１０は空気調和機の側面に、またイオンセンサー３は前面パネル２０の箇所に設けて構成されている。ここでは、吸入部の除電装置と、吹出部のイオン発生装置は、各々独立した高電圧装置を空気調和機の電源部に設置して構成したものである。
【００２８】
空気調和機１１の送風方向は図２に示すように、室内の空気を前面パネルの吸入部９と吸入グリル６から吸込み、熱交換器７、ファン５、吹出グリル４の順序で室内に再び送風される。
【００２９】
除電の放電針ユニット１−Ｂとイオン発生機の放電針ユニット１−Ａの各々放電針１０１から発生されるイオンは、前面パネル側の吸入部９と吸入グリル６から吸い込まれて循環する空気を、吹出グリル４から室内に再び送風される時に放電により空気を電離させ発生するものである。吸入グリル用の放電針ユニット１−Ｂは、正と負を等電圧にしてイオンを発生させ、本体を除電する機能を有するものである。
【００３０】
吹出用の放電針ユニット１−Ａは、吹出グリル４の近くでは多量のイオンを発生するが、イオンは発生と中和と消滅とを繰り返すために、室内のイオン量は発生電圧と送風量を一定にすれば比較的一定量に保たれている。
【００３１】
放電針ユニット１−Ａ、１−Ｂは、それぞれ放電針（１０１−Ａ、１０１−Ｂ）と設置用電極（１０２−Ａ、１０２−Ｂ）と電源コード（１０３−Ａ、１０３Ｂ）で構成したものである。設置用電極は室外のアースに接続している。
【００３２】
図４に示すイオン測定および粉塵量を評価した部屋の大きさは、約６畳、容積、約２３ｍ３で、室内の壁は壁紙、床はじゅうたんを使用し、窓はカーテンを付けたものである。イオン測定時の条件は、空気調和機１１は暖房運転で２５℃にセットし、測定時はドアを閉め換気はしない状態である。
【００３３】
イオン測定機１４は、神戸電波製ＭＯＤＥＬ  ＫＳＩ−３０００を使用し、室内の空気イオンを測定した。測定したイオンはイオンの移動度により分類し、小、中、間イオンを測定し、イオン測定結果は小イオンの変化を用いた。また、測定は部屋中央の測定点Ａを中心にして１ｍ間隔で、Ｂ，Ｃ，Ｄ，Ｅの５箇所とし、床面から１ｍの高さの空気をサンプリングした。
【００３４】
測定結果はイオンを発生して３時間後のデータを用いた。また、粉塵計１６は柴田科学製ＭＯＤＥＬ  ＰＣＤ−１を使用して、Ｂの床から約１．２ｍの高さの位置で測定した。
【００３５】
空気調和機の帯電状態は、静電メーター（シムコジャパン製  ＭＯＤＥＬ  ＦＭ２００）で測定した結果を用いる。また、ホコリの付着状態は、前面パネル６の汚れ状態と空気調和機周辺の壁の汚れ状態を見たものを示す。汚れ状態は、下記実施例の条件で運転して１週間前後の埃や塵の汚れ付着状態を見たものである。
【００３６】
本体の汚れの評価基準は、
◎が前面パネル及び壁に汚れが認められなく優れている状態、
○〜◎が前面パネル及び壁に極僅かの付着があるが綺麗な状態（全体の１／２０以下程度）、
○が前面パネル及び壁によく見ると僅かに汚れの付着がある状態（全体の１／１０以下程度）、
△が前面パネル及び壁に少し汚れの付着が認められる状態（全体の１／５程度）、
×が汚れの付着が目立つ状態（全体）
である。
【００３７】
まず、本発明の第１の実施例について説明する。吸入グリル６に設けた除電の放電針ユニット１−Ｂの放電針１０１−Ｂからは、本体を除電するために負イオンと正イオンを等量発生させ、吹出グリル４に設けた放電針ユニット１−Ａの放電針１０１−Ａからは、負イオンのみを発生させ、送風量を強風、弱風、微風に変化させることにより、イオン量を高、中、低と変化させ、室内の負のイオンを２００〜３０００個／ｃｃ程度にするものである。負イオンのみを発生する高電圧ユニット（吹出部用）２−Ａは電圧５．０ｋＶ、電流約５μＡの条件に設定したものである。また、負イオンと正イオンを等量発生させて除電している高電圧ユニット２−Ｂ（吸入部用）は電圧４．５ｋＶ、電流約３μＡの条件に設定したものである。
【００３８】
図５に測定結果を示す。イオン発生前の負の小イオン量は、Ａ〜Ｅ全て１００個／ｃｃ以下であるが、空気調和機１１を運転してイオン発生した３時間後のイオン量は、強風で１０００〜３０００個／ｃｃ、弱風で６００〜２０００個／ｃｃ、微風で２００〜８５０個／ｃｃで、２００〜３０００個／ｃｃ程度のイオンを室内で確保できる。また、その時の前面パネル２０や空気調和機本体の側面の帯電状態は、静電メーターで＋０．５〜−０．５ｋＶ程度で、空気調和機１１はほぼ中和状態で、本体の汚れ状態の評価は○で、前面グリル６や本体の側面へのホコリの付着はよく見ると僅かに汚れている程度である。また、粉塵量は０．００５ｍｇ／ｍ３である。自然状態での粉塵量は０．０５ｍｇ／ｍ３程度であり、イオン発生時には約１／１０に減少している。
【００３９】
次に、本発明の第２の実施例について説明する。吸入グリル６に設けた除電の放電針ユニット１−Ｂの放電針１０１−Ｂからは本体を除電するために負イオンと正イオンを等量発生させ、吹出グリル４に設けた放電針ユニット１−Ａの放電針１０１−Ａからは負イオンと正イオンを発生させ、送風量を強風、弱風、微風に変化させることにより、イオン量を高、中、低と変化させ、室内の負のイオンを２００〜３０００個／ｃｃ程度にするものである。負イオンと正イオンを発生する高電圧ユニット２−Ａ（吹出部用）は電圧５．０ｋＶ、電流約５μＡの条件に設定したものである。また、負イオンと正イオンを等量発生させて除電している高電圧ユニット（吸入部用）２−Ｂは電圧４．５ｋＶ、電流約３μＡの条件に設定したものである。
【００４０】
図６に測定結果を示す。イオン発生前の負と正の小イオン量は全て１００個／ｃｃ以下であるが、空気調和機１１を運転してイオン発生した３時間後のイオン量は、強風で１０
００〜３０００個／ｃｃ、弱風で８００〜２７５０個／ｃｃ、微風で２００〜８００個／ｃｃで、２００〜３０００個／ｃｃ程度のイオンを室内で確保でき、また負と正イオンの比率は１：０．８〜１．２程度に確保できる。また、その時の前面パネル２０や空気調和機本体の側面の帯電状態は、静電メーターで＋０．３〜−０．３ｋＶ程度で、空気調和機１１はほぼ中和状態で、本体の汚れ状態の評価は○〜◎で、前面グリル６や本体の側面へのホコリの付着は極僅かに汚れの付着がある程度である。また、粉塵量は０．０１０ｍｇ／ｍ３である。自然状態での粉塵量は０．０５ｍｇ／ｍ３程度であり、イオン発生時には約１／５に減少している。
【００４１】
次に、本発明の第３の実施例について説明する。第３の実施例は、吸入グリル６に設けた除電の放電針ユニット１−Ｂの放電針１０１−Ｂからは本体を除電するために負イオンと正イオンを発生させ、吹出グリル４に設けた放電針ユニット１−Ａの放電針１０１−Ａからは負イオンと正イオンを発生させ、送風量を強風、弱風、微風に変化させることにより、イオン量を高、中、低と変化させ、室内の負のイオンを２００〜３０００個／ｃｃ程度にするものである。負イオンと正イオンを発生する高電圧ユニット２−Ａ（吹出部用）は電圧５．０ｋＶ、電流約５μＡの条件に設定したものである。
【００４２】
除電するための負イオンと正イオンの比率は、帯電圧センサー１０により本体の帯電状態を感知して、高電圧ユニット（吸入部用）２−Ｂの電圧を２〜５ｋＶ程度に変化させ調整する。帯電圧センサーによって本体の帯電圧を±０．３ｋＶ以内にするものである。
【００４３】
図７に測定結果を示す。イオン発生前の負と正の小イオン量は全て１００個／ｃｃ以下であるが、空気調和機１１を運転してイオン発生した３時間後のイオン量は、強風で１３００〜３０００個／ｃｃ、弱風で９００〜２６００個／ｃｃ、微風で２００〜８００個／ｃｃで、２００〜３０００個／ｃｃ程度のイオンを室内で確保でき、また負と正イオンの比率は１：０．８〜１．２程度に確保できる。
【００４４】
また、その時の前面パネル２０や空気調和機本体の側面の帯電状態は静電メーターで＋０．１〜−０．１ｋＶ程度で、空気調和機１１はほぼ中和状態で、本体の汚れ状態の評価は◎で、前面パネル６や本体の側面へのホコリの付着は初期と同程度であり特に汚れた箇所はない。また粉塵量は０．０１５ｍｇ／ｍ３である。自然状態での粉塵量は０．０５０ｍｇ／ｍ３程度であり、イオン発生時には約１／３に減少している。
【００４５】
尚、帯電圧センサーを用いることにより、負イオン或いは負イオンと正イオンを吹き出しグリルの放電針ユニットから発生させても、前面パネルや本体の側面の帯電圧は±０．３ｋＶ未満にできる。
【００４６】
次に、本発明の第４の実施例について説明する。第４の実施例は、吸入グリル６に設けた除電の放電針ユニット１−Ｂの放電針１０１−Ｂからは本体を除電するために負イオンと正イオンを発生させ、吹出グリル４に設けた放電針ユニット１−Ａの放電針１０１−Ａからは負イオンと正イオンを発生させ、送風量を強風、弱風、微風に変化させることにより、イオン量を高、中、低と変化させ、室内の負のイオンを２００〜１０００個／ｃｃ程度にするものである。除電するための負イオンと正イオンの比率は、帯電圧センサー１０により本体の帯電状態を感知して、高電圧ユニット（吸入部用）２−Ｂの電圧を変化させ調整する。負イオンと正イオンを発生する高電圧ユニット２−Ａ（吹出部用）は電圧５．０ｋＶ、電流約５μＡの条件に設定したものである。
【００４７】
除電するための負イオンと正イオンの比率は、帯電圧センサー１０により本体の帯電状態を感知して、高電圧ユニット（吸入部用）２−Ｂの電圧を２〜５ｋＶ程度に変化させ調整する。帯電圧センサーによって本体の帯電圧を±０．３ｋＶ以内にするものである。
【００４８】
また、イオンセンサー３が室内のイオン量を感知して、高電圧ユニット２−Ａ（吹出部用）の電圧を変化させ、室内のイオン量を負の小イオンで２００〜１０００個／ｃｃ程度にするものである。
【００４９】
図８に測定結果を示す。イオン発生前の部屋の負と正イオンの小イオン量はＡ〜Ｅ共に１００個／ｃｃ以下であるが、空気調和機１１を運転してイオン発生した３時間後のイオン量は、強風で６００〜１０００個／ｃｃ、弱風で４５０〜８００個／ｃｃ、微風で２００〜７００個／ｃｃで、２００〜１０００個／ｃｃ程度のイオンを発生し、負と正イオンの比率は１：１．０〜１．２程度に確保できる。また、その時の前面パネル２０や空気調和機本体の側面の帯電状態は、静電メーターで＋０．１〜−０．１ｋＶ程度で、空気調和機１１はほぼ中和状態で、本体の汚れ状態の評価は◎で、前面パネル６や本体の側面へのホコリの付着は初期と同程度であり特に汚れた箇所はない。また、粉塵量は０．００８ｍｇ／ｍ３である。自然状態での粉塵量は０．０５０ｍｇ／ｍ３程度であり、イオン発生時には約１／６に減少している。
【００５０】
これらの構成によれば、帯電圧センターが空気調和機の本体及び周囲の帯電圧を検知して、室内の正イオンや負イオンのイオンバランスが変わって空気調和機本体が帯電しても、本体の帯電圧が中和状態（好ましくは０．１ｋ程度以下）になるように除電することが可能となる。また、除電されることにより汚れの付着を抑制し、部屋内の粉塵量を１／２〜１／１０程度に減少させることができる。また、負イオンの作用としては、一般的に、鎮静作用があり、イライラ感などを解消し、健康面での効果や作業能力の向上があると言われており、同様の効果が得られる。
【００５１】
尚、帯電圧センサーを用いることにより、負イオン或いは負イオンと正イオンを吹き出しグリルの放電針ユニットから発生させても前面パネルや本体の側面の帯電圧は±０．３ｋＶ未満にできる。
【００５２】
次に、参考例として従来例について説明する。従来例は、図９に示すように、吹出グリル４０１に設けた放電針ユニット１０１−Ｃの放電針から負イオンのみを発生させ、送風量を強風、弱風、微風に変化させることにより、イオン量を高、中、低と変化させ、室内の負のイオンを、２００〜３０００個／ｃｃ程度にするものである。この場合は、特に吸入部に除電の働きをする機能を使っていない。高電圧ユニットの電圧は５ｋＶで約５μＡに設定したものである。
【００５３】
図１０に測定結果を示す。イオン発生前の負の小イオン量は、Ａ〜Ｅ全て１００個／ｃｃ以下であるが、空気調和機１１Ｃを運転してイオン発生した３時間後のイオン量は、強風で１２００〜３０００個／ｃｃ、弱風で７００〜２２００個／ｃｃ、微風で２００〜８５０個／ｃｃで、２００〜３０００個／ｃｃ程度のイオンを発生させている。また、その時の前面パネル２０や空気調和機本体の側面の帯電状態は、静電メーターで０〜−１．５ｋＶ程度で、空気調和機１１Ｃは少しマイナスに帯電しやすくなっている。本体の汚れ状態の評価は△で、帯電しやすいために前面グリル６０１や本体の側面へのホコリの付着は多めであり、初期より少し汚れた状態となっている。また、粉塵量は０．０１５ｍｇ／ｍ３である。自然状態での粉塵量は０．０５０ｍｇ／ｍ３程度であり、イオン発生時には約１／３に減少している。
【００５４】
以上説明したように、本発明は空気調和機を除電しながら、イオン発生ユニットにより、室内に負イオン或いは負イオンと正イオンを送風の強さにより適当な所定量発生することができる。また、室内の粉塵量を同時に低減できる。また、本体や周囲の汚れを長期に軽減することができる。
【００５５】
尚、本発明の放電針ユニット１−Ａと放電針ユニット１−Ｂの放電針は、交流方式で電圧を印加して一つの放電針から負イオンまたは負イオンと正イオンを発生する方式を用いたものである。一つ放電針から負イオンと正イオンの発生する場合は、交互に発生させるものである。
【００５６】
また、負イオンと正イオンを発生する方式は、他に直流式で負と正の一対の放電針を用いて高電圧を印加し連続的に発生させる方式や、直流式で交互に高電圧を印加するパルス方式があり、その方式で用いて発生させることも可能である。尚、負イオンと正イオンの発生量の制御は、発生電圧やパルス方式の場合は、電圧とパルス間隔を調整することで可能となる。発生方式によりオゾン発生量は異なるが、一般的には交流方式よりも直流方式の方が少なく、特にパルス方式の場合は少ない。
【００５７】
また、本発明において、除電装置とイオン発生装置を併用しているが、本体周囲の帯電圧が大きいときは、時間的にイオン発生装置を除電機能として使うように変更することも可能である。
【産業上の利用可能性】
【００５８】
本発明は、除電装置とイオン発生機装置を備えた空気調和機について説明したが、家庭内で使用される空気清浄機や送風ファンを使用する循環型の加湿器や空調換気扇などにも適用することが可能である。
【符号の説明】
【００５９】
１−Ａ  放電針ユニット（吹出部用）
１−Ｂ  放電針ユニット（吸入部用）
２  高電圧装置
３  イオンセンサー
４  吹出グリル
５  ファン
６  吸入グリル
１０  帯電圧センサー
１１  空気調和機
１４  イオン測定機
１６  粉塵計
２０  前面パネル
【図１】
2011085288.tif 000003
【図２】
2011085288.tif 000004
【図３】
2011085288.tif 000005
【図４】
2011085288.tif 000006
【図５】
2011085288.tif 000007
【図６】
2011085288.tif 000008
【図７】
2011085288.tif 000009
【図８】
2011085288.tif 000010
【図９】
2011085288.tif 000011
【図１０】
2011085288.tif 000012